(57)【要約】【課題】  軸部材２のリング溝２ａに嵌め合わされるスナップリング３の着脱技術を改良して、別段の熟練を要せず、迅速容易かつ隔日に着脱することができ、しかも、周辺の機器（図示省略）を過って損傷させる虞れの無い工具および方法を提供する。【解決手段】  軸部材２に対し、リング拡開案内６を芯合わせして当接し、このリング拡開案内６を治具として、鎖線で描かれたスナップリング３′を圧入筒７で圧し下げて、点線で描かれたスナップリング３の位置に嵌め込む。また、嵌め合わされているスナップリング３（点線）を抜き取るには、軸部材２にリング拡開案内６を芯合せ当接せしめて、このリング拡開案内６に圧入筒７を外嵌する。上記圧入筒７によって案内されるリング拡開ロッド８を圧し下げ（矢印ａ）その先端（テーパ状に細くなっている）をスナップリングの開口部に挿入して、これを拡開する。【選択図】  図１
2006175544.tif 000002
【特許請求の範囲】
【請求項１】
軸部材（２）の端部付近のリング溝（２ａ）に嵌め付けられるスナップリング（３）の着脱工具において、
上記軸部材のスナップリング取付け部付近の外径寸法φとほぼ同径の大径部、および、前記スナップリングの自由形状における内径寸法よりも小径の小径部とから成るテーパ部６ｂを有するリング拡開案内（６）と、
上記リング拡開案内に外嵌する圧入筒（７）と、
上記圧入筒に対して、その軸心Ｚ方向に往復摺動可能なリング拡開ロッド（８）とを具備し、
前記リング拡開案内（６）の大径側の端を軸部材（２）の先端部に対して同心に位置決めする手段を備えており、
かつ、上記リング拡開ロッドの先端部がテーパ状に先細になっていて、該先細の先端を「軸部材のリング溝（２ａ）に嵌め付けられているスナップリング（３）の開口部」に差し入れ得るようになっていて、
前記リング拡開ロッドの先端のテーパ状部をスナップリング開口部に押し込むことによって、該開口部が拡開される構造であることを特徴とする、スナップリング装着・取り外し用の工具。
【請求項２】
前記の「リング拡開案内（６）の大径側の端を軸部材（２）の先端部に対して同心に位置決めする手段」が、
軸部材（２）の先端に形成された突起（２ｂ）と、
リング拡開案内（６）の大径側の端面に形成された芯出し穴（６ａ）との対偶であることを特徴とする、請求項１に記載したスナップリング装着・取り外し用の工具。
【請求項３】
前記の「リング拡開案内（６）の大径側の端を軸部材（２）の先端部に対して同心に位置決めする手段」が、
軸部材（２）の先端に形成されたセンタ穴（２ｃ）と、
リング拡開案内（９）の大径側の端面に形成されたセンタ突起（９ａ）との対偶であることを特徴とする、請求項１に記載したスナップリング装着・取り外し用の工具。
【請求項４】
軸部材（２）の端部付近のリング溝（２ａ）に嵌め付けられているスナップリング（３）を取外す工具において、
上記軸部材のスナップリング取付け部付近の外径寸法φに嵌合する内径寸法を有する筒状の芯出し部（１０ａ）を備えたロッド案内具（１０）を具備しており、
上記ロッド案内具に、その軸心Ｚと平行なロッド案内溝（１０ｂ）が形成されていて、
このロッド案内溝に嵌合されたリング拡開ロッド（８）が、軸心Ｚ方向に往復摺動可能であり、
かつ、上記リング拡開ロッド（８）の先端が先細のテーパ状をなしていて、この先端が「軸部材のリング溝（２ａ）に嵌め付けられているスナップリング（３）の開口部」に対向するように案内されており、
上記リング拡開ロッドの先端のテーパ状部をスナップリング開口部に押し込むことによって、該開口部が拡開される構造であることを特徴とする、スナップリング取り外し用の工具。
【請求項５】
軸部材（２）の端部付近のリング溝（２ａ）に嵌め付けられているスナップリング（３）を取外す方法において、  
予め、先端が先細のテーパ状になっているリング拡開ロッド（８）を準備しておき、
上記リング拡開ロッド（８）の先端を「軸部材のリング溝（２ａ）に嵌め付けられているスナップリング（３）の開口部」に差し入れ、
このリング拡開ロッド先端のテーパ状部をスナップリング（３）の開口部に押し込んで該開口部を拡開し、
拡開されたスナップリングの弾性復元力によって、リング拡開ロッド（８）のテーパ部を挟みつけ、
挟み付け部の摩擦力によってスナップリングに移動力を与えて取り外すことを特徴とする、スナップリング取り外し方法。
【請求項６】
前記リング拡開ロッド（８）を摺動可能に嵌合せしめるロッド案内溝（１０ｂ）を有するロッド案内具（１０）を予め準備しておき、
該ロッド案内具を軸部材（２）に対して位置決めし、    
リング拡開ロッド（８）の先端をスナップリング（３）の開口部に誘導することを特徴とする、請求項５に記載したスナップリング取り外し方法。
【発明の詳細な説明】
【技術分野】
【０００１】
本発明は、軸部材に装着されるスナップリングの着脱方法、および同着脱工具に関するものである。
【背景技術】
【０００２】
スナップリングには軸用と孔用とが有り、本発明は軸用スナップリングを適用の対象とする。
図５（Ａ）および図５（Ｂ）は軸用スナップリングの概要的な外観正面図であり、図５（Ｃ）は、上記図５（Ａ）に示したスナップリングの拡大詳細図である。
（図５（Ｃ）参照）破線で描いた軸部材２のリング溝２ａ（鎖線）に、スナップリング３が嵌め合わされている。スナップリング３の内周面はリング溝２ａの溝底面とほぼ一致している。その直系寸法をψで表す。
該スナップリング３の外周は、軸部材２の外周よりも外側に張り出している。この張出し部分がスナップリングのストッパ機能を果たす。
【０００３】
上記図５（Ａ）の状態で、スナップリング３はほぼ自由形状（ほとんど外力を受けず、内部応力がほとんどゼロの状態）である。
軸部材２のリング溝２ａにスナップリング３を着脱する作業は、スナップリングの透孔３ａに工具（スナップリング プライヤ）を掛けて、スナップリングの開口部を拡開し、該スナップリングの内径寸法ψを、軸部材２の外形寸法φよりも拡大させて行なう。
【０００４】
軸部材に対するスナップリングの装着作業を迅速容易に施工するため、各種の装置が提案されており、例えば次の公報に記載された発明が公知である。
特開２００２−３４６８５５号公報  スナップリング装着装置    
この発明は、孔用スナップリングを縮径させて装着する装置である。
特開２００２−３２６１３０号公報  スナップリング取付装置      
この発明は、スナップリング装着専用の装置である。
特開平０５−１７７４５９号公報  スナップリングの組付装置      
この発明は、スナップリングを装着するとともに，装着状態の良否を自動的に判定する装置である。  
特開平０５−１６２０３０号公報   スナップリング組付装置        
この発明は、スナップリング装着専用の装置である。  
【特許文献１】特開２００２−３４６８５５号公報
【特許文献２】特開２００２−３２６１３０号公報
【特許文献３】特開平０５−１７７４５９号公報
【特許文献４】特開平０５−１６２０３０号公報
【発明の開示】
【発明が解決しようとする課題】
【０００５】
前記各種のスナップリング装着装着は、総べてスナップリングを取り付けるための機器であって、スナップリングを取り外し得る機器は無い。
このため従来技術においては、スナップリングを取り外す際には手工具（スナップリングプライヤ）を用いて行わねばならなかった。
手工具によるスナップリング取り外し作業には熟練と労力、時間を要するのみでなく、周辺の機器を傷つける虞れが有った。
【０００６】
本発明は以上に述べた事情に鑑みて為されたものであって、その目的とするところは、
別段の熟練を要せず、迅速容易に、しかも周辺機器を損傷する虞れ無く、スナップリングを軸部材から取り外し得る器具、および、同じくスナップリングを軸部材から取り外す方法、ならびに、同じくスナップリングを軸部材から取り外したり取り付けたりし得る器具を提供するにある。
【課題を解決するための手段】
【０００７】
上記の目的を達成するために創作した本発明の基本的な原理を略述すると次のとおりである。
図３（Ａ）に示したように、先細形のリング拡開ロッド８の先端をスナップリング３の開口部に臨ましめる。
上記のリング拡開ロッド８を下方に圧し下げて、図２（Ｂ）のようにスナップリング３を拡開させる。
このままリング拡開ロッド８を持ち上げると、「弾性復元力でリング拡開ロッド８を挟み付けているスナップリング３」は、「挟み付け部の摩擦力」によって釣り上げられる。
【０００８】
以上に説明した原理に基づく具体的な構成として本願請求項１に係る発明工具の構成は、（図１参照）軸部材（２）の端部付近のリング溝（２ａ）に嵌め付けられるスナップリング（３）の着脱工具において、
「軸部材（２）のスナップリング取付け部付近の外径寸法φとほぼ同径の大径部」、および、「前記スナップリングの自由形状における内径寸法よりも小径の小径部」とから成るテーパ部６ｂを有するリング拡開案内（６）と、
上記リング拡開案内に外嵌する圧入筒（７）と、
上記圧入筒に対して、その軸心Ｚ方向に往復摺動可能なリング拡開ロッド（８）とを具備し、
前記リング拡開案内（６）の大径側の端を軸部材（２）の先端部に対して同心に位置決めする手段を備えており、  
かつ、（図２参照）上記リング拡開ロッド（８）の先端部がテーパ状に先細になっていて、該先細の先端をスナップリング（３）の開口部に差し入れ得るようになっていて、
前記リング拡開ロッドの先端のテーパ状部をスナップリング開口部に押し込むことによって、該開口部が拡開される構造であることを特徴とする。
【０００９】
以上に説明した請求項１の発明工具によると、軸部材のリング溝に嵌め込まれたスナップリングを迅速容易に取り外すこともでき、また、スナップリングを迅速容易にリング溝へ嵌め込むこともできる。
すなわち、軸部材に対して位置決めされたリング拡開案内のテーパ部の小径部にスナップリングを嵌めて、該リング拡開案内に圧入筒を外嵌してスナップリングを押し進めると、スナップリングはテーパ部に沿って摺動しながら拡開され、軸部材に外嵌される。さらに押し進めてリング溝に差しかかると、半ば自動的に嵌合する。
また、軸部材に対し、リング拡開案内を介して圧入筒を位置決めし、該圧入筒で案内しながらリング拡開ロッドの先端をスナップリングの開口部に差し入れて押し込むと、スナップリングが拡開されてリング溝から外れるので、迅速容易に取り外すことができ、周辺の機器を損傷する虞れが無い。
【００１０】
請求項２に係る発明工具の構成は、前記請求項１の発明工具の構成要件に加えて、（図１参照）前記の「リング拡開案内（６）の大径側の端を軸部材（２）の先端部に対して同心に位置決めする手段」が、
軸部材（２）の先端に形成された突起（２ｂ）と、
リング拡開案内（６）の大径側の端面に形成された芯出し穴（６ａ）との対偶であることを特徴とする。
【００１１】
以上に説明した請求項２の発明によると、軸部材に本来的に形成されていた突起を利用して、もしくはスナップリング着脱用に設けられた突起を用いて、「芯出し穴を設けたリング拡開案内」を同心に位置決めすることができる。この位置決め操作は、別段の熟練を要せず迅速容易に、かつ正確に行なうことができる。
【００１２】
請求項３に係る発明工具の構成は、前記請求項１の発明工具の構成要件に加えて、（図４（Ａ）参照）前記の「リング拡開案内（６）の大径側の端を軸部材（２）の先端部に対して同心に位置決めする手段」が、
軸部材（２）の先端に形成されたセンタ穴（２ｃ）と、
リング拡開案内（９）の大径側の端面に形成されたセンタ突起（９ａ）との対偶であることを特徴とする。
【００１３】
以上に説明した請求項３の発明によると、軸部材に本来的に形成されていたセンタ穴を利用して、もしくはスナップリング着脱用に設けられたセンタ穴を用いて、「センタ突起を設けたリング拡開案内」を同心に位置決めすることができる。この位置決め操作は、別段の熟練を要せず迅速容易に、かつ正確に行なうことができる。
【００１４】
請求項４に係る発明工具の構成は、（図４（Ｂ）参照）軸部材（２）の端部付近のリング溝（２ａ）に嵌め付けられているスナップリング（３）を取外す工具において、
上記軸部材のスナップリング取付け部付近の外径寸法φに嵌合する内径寸法を有する筒状の芯出し部（１０ａ）を備えたロッド案内具（１０）を具備しており、
上記ロッド案内具に、その軸心Ｚと平行なロッド案内溝（１０ｂ）が形成されていて、
このロッド案内溝に嵌合されたリング拡開ロッド（８）が、軸心Ｚ方向に往復摺動可能であり、
かつ、上記リング拡開ロッド（８）の先端が先細のテーパ状をなしていて、この先端が「軸部材のリング溝（２ａ）に嵌め付けられているスナップリング（３）の開口部」に対向するように案内されており、
上記リング拡開ロッドの先端のテーパ状部をスナップリングの開口部に押し込むことによって、該開口部が拡開される構造（図２（Ａ）および（Ｂ）を参照）であることを特徴とする。
【００１５】
以上に説明した請求項４の発明工具を適用すると、軸部材のリング溝に嵌め付けられているスナップリングを迅速容易に取り外すことができる。この請求項４の構成のみでは、スナップリングの装着はできない。
しかし、スナップリングの着脱操作の内で、装着は比較的容易であり、取り外しは非常に困難である。こうした観点から、取り外し専用である請求項４に係る発明工具の実用的価値は多大である。
【００１６】
請求項５に係る発明方法の構成は、（図１参照）軸部材（２）の端部付近のリング溝（２ａ）に嵌め付けられているスナップリング（３）を取外す方法において、  
予め、先端が先細のテーパ状になっているリング拡開ロッド（８）を準備しておき、
（図２（Ａ）参照）上記リング拡開ロッド（８）の先端を「軸部材のリング溝（２ａ）に嵌め付けられているスナップリング（３）の開口部」に差し入れ、
（図２（Ｂ）参照）このリング拡開ロッド先端のテーパ状部をスナップリング（３）の開口部に押し込んで該開口部を拡開し、
拡開されたスナップリングの弾性復元力によって、リング拡開ロッド（８）のテーパ部を挟みつけ、
挟み付け部の摩擦力によりスナップリングに移動力（図２（Ｂ）において持ち上げ力）を与えて取り外すことを特徴とする。
【００１７】
以上に説明した請求項５の発明方法によると、軸部材のリング溝に嵌め付けられているスナップリングを迅速容易に取り外すことができる。  
この請求項５の手順はスナップリングの取り外しのみに適用され、装着には適しない。
しかし、スナップリングの着脱操作の内で、装着は比較的容易であり、取り外しは非常に困難である。こうした観点から、取り外し専用である請求項５に係る発明方法の実用的価値は多大である。
【００１８】
請求項６に係る発明方法の構成は、前記請求項５の発明方法の構成要件に加えて、（図４（Ｂ）参照）
前記リング拡開ロッド（８）を摺動可能に嵌合せしめるロッド案内溝（１０ｂ）を有するロッド案内具（１０）を予め準備しておき、
該ロッド案内具を軸部材（２）に対して位置決めし、    
リング拡開ロッド（８）の先端をスナップリング（３）の開口部に誘導することを特徴とする。
【００１９】
以上に説明した請求項６の発明方法によると、リング拡開ロッドの先端をスナップリングの開口部に誘導する操作が容易に、かつ確実に行なわれる。
リング拡開ロッドの誘導が確実であるため、過って周辺機器に損傷を与える危険性が極めて少ない。
【発明の効果】
【００２０】
請求項１の発明工具によると、軸部材のリング溝に嵌め込まれたスナップリングを迅速容易に取り外すこともでき、また、スナップリングを迅速容易にリング溝へ嵌め込むこともできる。
すなわち、軸部材に対して位置決めされたリング拡開案内のテーパ部の小径部にスナップリングを嵌めて、該リング拡開案内に圧入筒を外嵌してスナップリングを押し進めると、スナップリングはテーパ部に沿って摺動しながら拡開され、軸部材に外嵌される。さらに押し進めてリング溝に差しかかると、半ば自動的に嵌合する。
また、軸部材に対し、リング拡開案内を介して圧入筒を位置決めし、該圧入筒で案内しながらリング拡開ロッドの先端をスナップリングの開口部に差し入れて押し込むと、スナップリングが拡開されてリング溝から外れるので、迅速容易に取り外すことができ、周辺の機器を損傷する虞れが無い。  
【００２１】
請求項２の発明によると、軸部材に本来的に形成されていた突起を利用して、もしくはスナップリング着脱用に設けられた突起を用いて、「芯出し穴を設けたリング拡開案内」を同心に位置決めすることができる。この位置決め操作は、別段の熟練を要せず迅速容易に、かつ正確に行なうことができる。  
【００２２】
請求項３の発明によると、軸部材に本来的に形成されていたセンタ穴を利用して、もしくはスナップリング着脱用に設けられたセンタ穴を用いて、「センタ突起を設けたリング拡開案内」を同心に位置決めすることができる。この位置決め操作は、別段の熟練を要せず迅速容易に、かつ正確に行なうことができる。
【００２３】
請求項４の発明工具を適用すると、軸部材のリング溝に嵌め付けられているスナップリングを迅速容易に取り外すことができる。この請求項４の構成のみでは、スナップリングの装着はできない。
しかし、スナップリングの着脱操作の内で、装着は比較的容易であり、取り外しは非常に困難である。こうした観点から、取り外し専用である請求項４に係る発明工具の実用的価値は多大である。
【００２４】
請求項５の発明方法によると、軸部材のリング溝に嵌め付けられているスナップリングを迅速容易に取り外すことができる。  
この請求項５の手順はスナップリングの取り外しのみに適用され、装着には適しない。
しかし、スナップリングの着脱操作の内で、装着は比較的容易であり、取り外しは非常に困難である。こうした観点から、取り外し専用である請求項５に係る発明方法の実用的価値は多大である。
【００２５】
請求項６の発明方法によると、リング拡開ロッドの先端をスナップリングの開口部に誘導する操作が容易に、かつ確実に行なわれる。
リング拡開ロッドの誘導が確実であるため、過って周辺機器に損傷を与える危険性が極めて少ない。
【発明を実施するための最良の形態】
【００２６】
図１は本発明に係るスナップリング着脱工具の１実施形態における断面図である。
スナップリング３は、軸部材２の上端付近のリング溝２ａに嵌め合わされている。上記軸部材２は組立部品本体１に組み入れられ、スプリング４を圧縮保持しているスプリング押え５の抜け止め機能を果たしている。本例の軸部材２は、その先端に突起２ｂが形成されている。
【００２７】
本実施形態の工具は、リング拡開案内６と、圧入筒７と、「該圧入筒によって往復矢印ａ〜ｂのように案内されてスライドするリング拡開ロッド８」とから成っている。
リング拡開案内６は、前記突起２ｂに嵌合する芯出し穴６ａとテーパ部６ｂとを形成されている。
上記芯出し穴６ａを前記突起２ｂに嵌め合わせると、軸部材２とリング拡開案内６とが軸Ｚに関して同心に位置決め（詳しくは芯合わせ）される。
【００２８】
前記テーパ部６ｂの大径側寸法は、軸部材２のリング溝２ａ付近と同じく、直径φである。該テーパ部６ｂの小径側直径寸法αは、スナップリング３の内径寸法よりも小さく設定されている。
前記圧入筒７の内径寸法は、テーパ部６ｂの大径側と同じくφであり、軸部材２のリング溝２ａ付近の外径寸法と同じである。
従って、圧入筒７をリング拡開案内６に外嵌すると、「軸部材２、リング拡開案内６、及び圧入筒７」が、Ｚと同心に整列せしめられる。
【００２９】
前掲の図１に描かれた圧入筒７とリング拡開ロッド８との関係を図３（Ｃ）に示す。
圧入筒７には、その軸心と平行にロッド案内溝７ａが削成されていて、リング拡開ロッド８を往復矢印ａ〜ｂのごとく摺動自在に案内している。
上記リング拡開ロッド８の先端部は、先細形のテーパ状に形成されている。該リング拡開ロッド８が矢印ａ方向に下降すると、図２（Ａ）のように、その先端がスナップリング３の開口部に対向し、
さらに下降すると、図２（Ｂ）のようにスナップリングの開口部を拡開するようになっている。
【００３０】
スナップリング３の開口部が拡開されると、該スナップリングが全体的に拡大し、その内径寸法がφ（軸部材２の、リング溝２ａ付近の直径）よりも大きくなるとリング溝２ａから外し得るようになる。
この状態（図２（Ｂ）参照）で、拡開されたスナップリング３は、弾性復元力によってリング拡開ロッド８を挟み付ける。
リング拡開ロッド８を引き上げると、上記挟み付けの摩擦力によってスナップリング３が持ち上げられる。
この図１に鎖線で記入されているスナップリング３′は、スナップリング嵌め込み操作における準備位置を表している。嵌め込み操作については、図３を参照して後に詳しく述べる。
【００３１】
図２（Ｂ）は、スナップリング３とリング拡開ロッド８とだけを抽出して描かれているが、実際には（図１参照）スナップリング３と、リング拡開ロッド８と、圧入筒７とを一緒に引き上げる。
上述の操作から明らかなように、本実施形態によると、スナップリング付近の機器（図示せず）を傷つける虞れが無く、別段の熟練を要せず、迅速容易にスナップリング３を取り外すことができる。
【００３２】
図３は、前掲の図１に示した工具を用いてスナップリングを装着する状態を描いた断面図である。ただし、図１とは切断面がことなるのでリング拡開ロッド８が現れていない。
リング拡開案内６を軸部材２の上に被せて、芯出し穴６ａを突起２ｂに嵌合させ、両者をＺ軸に芯合わせする。
次いで、鎖線で描いたスナップリング３′を、リング拡開案内６のテーパ部６ｂの小径部に嵌める。
上記リング拡開案内６の上方から、圧入筒７を外嵌して圧し下げると、スナップリング３′（鎖線）は矢印ｃ，ｃ′のように拡開されながら下降し、点線で描いたスナップリング３の位置に嵌め合わされる。
上述の操作から明らかなように、本実施形態によると、スナップリング付近の機器（図示せず）を傷つける虞れが無く、別段の熟練を要せず、迅速容易にスナップリング３を装着することができる。
【００３３】
前掲の図１に示したスナップリング３の取り外し操作、及び、図３に示したスナップリング３の装着操作においては、軸部材２に対してリング拡開案内６を同心に合わせることが必要であった。これらの実施形態では、軸部材の突起２ｂとリング拡開案内の芯出し穴６ａとによって芯合わせが行われた。
上記の突起２ｂは、軸部材２に本来的に設けられていた突起を利用した。この場合、突起の形状寸法に合わせて芯出し穴６ａを形成すれば支障無く適合する。
軸部材に、本来的な突起が無い場合は、スナップリング着脱のための突起を設けても良いし、図４を参照して後述する実施形態（２例のいずれか）を適用しても良い。
【００３４】
図４は、前記と異なる実施形態の２例を示す。
軸部材２の先端部に突起が形成されていなくても（図４（Ａ）参照）、リング溝２ａ付近の軸端にセンタ穴２ｃが形成されている場合は、前記リング拡開案内６に類似する部材であるリング拡開案内９にセンタ突起９ａを形成する。
前記センタ突起９ａをセンタ穴２ｃに合わせると、リング拡開案内９が軸部材２に対して芯合わせされる。この図４（Ａ）の実施形態によると、軸部材に本来的に設けられているセンタ穴を利用し、もしくは、スナップリング着脱のためのセンタ穴を設けておいて、上述のようにして芯合わせし、その後は図３の実施形態に準じてスナップリングの装着を行なうことができる。
また、図１及び図２の実施形態に準じてスナップリングの取り外しを行なうこともできる。
【００３５】
図４（Ｂ）は前記と異なる実施形態に係るスナップリング取り外し工具の模式的な断面図である。
この実施形態の特徴は、軸部材の端に突起もセンタ穴も不要であること。及び、取り外し専用であって装着には不向きであること、である（装着も不可能ではないが…）。
本図４（Ｂ）の左半は外観を、右半は断面を、それぞれ描いてある。左半の外観図において、読図を容易にするためスナップリング３に斑点を付した。斑点の無い箇所βはスナップリングの開口部である。
【００３６】
先に図３（Ａ）、（Ｂ）を参照して説明したように、本発明によってスナップリングを取り外す操作の要点は、該スナップリングの開口部にリング拡開ロッド８の先端部を差し入れて拡開することである。さらに要約すると、リング拡開ロッド８の先端をスナップリングの開口部に誘導することである。
本図４（Ｂ）の実施形態は、リング拡開ロッド８の先端を所望の箇所（スナップリング開口部）へ導くことを主眼として構成したものである。
【００３７】
リング拡開ロッド８を所望の箇所（スナップリング開口部）へ導くためのロッド案内具１０が設けられている。
このロッド案内具１０の先端部（図において下端）に、短円筒状の芯出し部１０ａが同心に形成されている。
上記芯出し部１０ａを軸部材２の先端に嵌め合わすと、ロッド案内具１０が軸心Ｚに揃えられる。
【００３８】
上記のロッド案内具１０には、図示の状態で軸心Ｚと平行なロッド案内溝１０ｂが形成されていて、リング拡開ロッド８をＺ軸方向に摺動自在に案内している。
該リング拡開ロッド８の先端をスナップリング開口部βに合わせて押し込むと、先に図２（Ａ）、（Ｂ）を参照して説明した作用によってスナップリングを拡開させ、リング溝２ａから抜き出すことができる。
上述の操作から明らかなように、本図４（Ｂ）の実施形態によっても、周辺の機器を損傷させる虞れ無く、迅速かつ容易にスナップリングを取り外すことができる。
【図面の簡単な説明】
【００３９】
【図１】本発明の１実施形態を描いた模式的な断面図
【図２】本発明におけるスナップリング取外し操作の原理を説明するための模式図
【図３】本発明装置を用いてスナップリングを装着している状態の断面図
【図４】前記と異なる実施形態の２例を描いた部分断面図
【図５】公知のスナップリングを描いた平面図
【符号の説明】
【００４０】
１…組立部品本体
２…軸部材
２ａ…リング溝
２ｂ…突起
２ｃ…センタ穴
３…スナップリング
４…スプリング
５…スプリング押え 
６…リング拡開案内 
６ａ…芯出し穴 
６ｂ…テーパ部
７…圧入筒 
７ａ…ロッド案内溝 
８…リング拡開ロッド 
９…リング拡開案内 
９ａ…センタ突起 
９ｂ…テーパ部
１０…ロッド案内具 
１０ａ…芯出し部 
１０ｂ…ロッド案内溝 
ａ…リング拡開ロッドの下降を表す矢印 
ｂ…リング拡開ロッドの上昇を表す矢印 
ｃ，ｃ′…スナップリングの拡開装着を表す矢印 
α …テーパ部の小径部の直径 
β …スナップリングの開口部 
φ …テーパ部の大径部の直径 
ψ …スナップリングの内周の直径 
Ｚ …軸心の線 
【図１】
2006175544.tif 000003
【図２】
2006175544.tif 000004
【図３】
2006175544.tif 000005
【図４】
2006175544.tif 000006
【図５】
2006175544.tif 000007